(57)【特許請求の範囲】
【請求項１】
操作者が操作する第１スイッチと、前記第１スイッチとは異なる第２スイッチと、角速度センサを用いて移動方向を検出する検出部と、前記第１スイッチの状態に対応する第１操作信号、前記第２スイッチの状態に対応する第２操作信号および前記検出部により検出された前記移動方向に対応する第３操作信号を出力する出力部とを有する遠隔操作部材と、
前記第１操作信号、前記第２操作信号および前記第３操作信号が入力される入力部と、画像データを読み込む読込部と、前記入力部に前記第１操作信号が入力された後に前記入力部に前記第２操作信号が入力されたとき、画像データの一部が所定画面上に表示され前記画像データの他の一部が前記所定画面上に表示されない画像拡大モードで画像表示制御が可能な表示制御部とを有する再生機とを含み、
前記表示制御部は、前記画像拡大モード時において、前記入力部に前記第１操作信号が継続して入力されている状態で前記入力部に前記第３操作信号が入力されたとき、前記画像データを前記移動方向に移動させるように制御することを特徴とする画像再生システム。
【請求項２】
請求項１に記載の画像再生システムにおいて、
前記画像拡大モード時における画像の拡大中心位置を示す拡大マーカを生成するマーカ生成部を含み、
前記表示制御部は、前記画像拡大モード時において、前記画像データの一部と前記拡大マーカとを表示するように制御することを特徴とする画像再生システム。
【請求項３】
請求項２に記載の画像再生システムにおいて、
前記表示制御部は、前記画像拡大モード時において、前記入力部に前記第１操作信号が継続して入力されている状態で前記入力部に前記第３操作信号が入力されたとき、前記拡大マーカを前記移動方向に移動させるように制御することを特徴とする画像再生システム。
【請求項４】
請求項１乃至３のいずれか一項に記載の画像再生システムにおいて、
前記表示制御部は、前記入力部に入力された前記第２操作信号に応じて、前記所定画面上に表示されている前記画像データのコマ送り、コマ戻しを行うことを特徴とする画像再生システム。
【請求項５】
請求項１乃至４のいずれか一項に記載の画像再生システムにおいて、
前記表示制御部は、前記入力部に前記第３操作信号のみが入力されたとき、前記遠隔操作部材の前記移動方向に従って前記所定画面上を移動する指標を前記所定画面上に表示されている前記画像データに重畳表示することを特徴とする画像再生システム。
【請求項６】
請求項５に記載の画像再生システムにおいて、
前記表示制御手段は、前記画像データの全領域が前記所定画面に表示されているときに、前記入力部に前記第１操作信号が入力されると前記画像拡大モードを設定し、前記画像拡大モードが設定された後、前記入力部に前記第２操作信号が入力されると、前記所定画面上に表示されている前記画像データの一部を、前記指標が表示されている位置を中心として表示させることを特徴とする画像再生システム。
【請求項７】
請求項１乃至６のいずれか一項に記載の画像再生システムにおいて、
前記検出部は、前記遠隔操作部材が空中で三次元操作された場合の前記移動方向を検出し、
前記表示制御部は、前記入力部に入力された前記第３操作信号に基づいて、予め記憶した前記遠隔操作部材の基準姿勢からの姿勢変化を算出し、前記算出した姿勢変化に基づいて前記移動方向を判定して、前記画像データの移動させることを特徴とする画像再生システム。
【請求項８】
請求項７に記載の画像再生システムにおいて、
画像再生システムが起動されると、前記遠隔操作部材の基準姿勢と前記指標の表示位置とを対応付ける対応付け部をさらに備え、
前記遠隔操作部材は、前記所定画面に向けて光を照射する照射部をさらに含み、
前記対応付け部は、前記照射された光が、前記所定画面における所定位置を示すために表示されるカーソルに前記所定画面上で重ね合わさっているときの前記第３操作信号に基づいて、前記基準姿勢を設定することを特徴とする画像再生システム。
【発明の詳細な説明】
【技術分野】
【０００１】
本発明は、遠隔操作部材を備える画像再生システムに関する。
【背景技術】
【０００２】
従来から、デジタルテレビ等に対する各種コマンドを遠隔操作するためのリモコン送信装置が知られている（たとえば、特許文献１）。
また、ＬＣＤの画面上でタッチペンを使用して、テレビモニタに表示された画像を操作するデジタルカメラが知られている（たとえば、特許文献２）。
【特許文献１】特開２００７−８１７４３号公報
【特許文献２】特開２０００−３４１５７２号公報
【発明の開示】
【発明が解決しようとする課題】
【０００３】
しかしながら、従来のリモコン送信機では、複数のボタン操作が配置されているので、所望のコマンドを行うための操作が煩雑になるととともに、誤操作が発生しやすいという問題がある。
さらに、従来のデジタルカメラでは、ＬＣＤの画面に表示されたコマンドから各種の操作を指定するので、すなわち先に処理が規定されているので、ユーザの操作意思を直接反映できず操作が煩雑になるという問題がある。
【課題を解決するための手段】
【０００４】
請求項１に記載の発明による画像再生システムは、操作者が操作する第１スイッチと、第１スイッチとは異なる第２スイッチと、角速度センサを用いて移動方向を検出する検出部と、第１スイッチの状態に対応する第１操作信号、第２スイッチの状態に対応する第２操作信号および検出部により検出された移動方向に対応する第３操作信号を出力する出力部とを有する遠隔操作部材と、第１操作信号、第２操作信号および第３操作信号が入力される入力部と、画像データを読み込む読込部と、入力部に第１操作信号が入力された後に入力部に前記第２操作信号が入力されたとき、画像データの一部が所定画面上に表示され画像データの他の一部が所定画面上に表示されない画像拡大モードで画像表示制御が可能な表示制御部とを有する再生機とを含み、表示制御部は、画像拡大モード時において、入力部に第１操作信号が継続して入力されている状態で入力部に第３操作信号が入力されたとき、画像データを移動方向に移動させるように制御することを特徴とする。
【発明の効果】
【０００５】
本発明によれば、遠隔操作部材の所定の操作に応じて画像の表示形態を変更できるので、操作性を向上させるとともに、誤操作を減少できる。
【発明を実施するための最良の形態】
【０００６】
（第１の実施の形態）
図面を参照しながら、本発明の第１の実施の形態による画像再生システムについて説明する。図１のブロック図に示すように、画像再生システム１は、メモリカード再生機２、リモコン３、および再生画像を表示するためのモニタ４により構成される。
【０００７】
−メモリカード再生機２−
メモリカード再生機２は、マイクロプロセッサ２１、グラフィックジェネレータ２２、画像メモリ２３、画像処理回路２４、ビデオ信号コンバータ２６、メモリカードインタフェース２７、およびＩＲ信号受信機２８を備える。
【０００８】
マイクロプロセッサ２１は、制御プログラムに基づいて、後述するリモコン３からの各種の操作信号に応じて所定の演算を行うなどして、メモリカード再生機２の各部に対して制御信号を送出し、モニタ４に表示する画像の制御を行う。なお、制御プログラムはマイクロプロセッサ２１内の不図示の不揮発性メモリに格納されている。
【０００９】
グラフィックジェネレータ２２は、マイクロプロセッサ２１からの指令に応じ種々の画像を生成する。たとえば、後述する初期設定の際にモニタ４に表示するための、たとえば十字形のカーソルを表すカーソルデータを生成し、ビデオ信号コンバータ２６へ出力する。さらに、グラフィックジェネレータ２２は、マイクロプロセッサ２１からの指令に応じて、たとえば矢印などの指標をモニタ４へ表示するための指標データを生成し、ビデオ信号コンバータ２６へ出力する。この指標は、後述するようにリモコン３がモニタ４上で指し示す位置を示すためのものであり、リモコン３の動きに応じて表示位置が変更される。
【００１０】
メモリカードインタフェース２７は、メモリカード５が着脱可能なインタフェースである。メモリカードインタフェース２７は、マイクロプロセッサ２１の制御に基づいて、メモリカード５に記録されている画像データを読み出すインタフェース回路である。メモリカード５はコンパクトフラッシュ（登録商標）やＳＤカードなどの半導体メモリカードである。
【００１１】
画像メモリ２３は、マイクロプロセッサ２１によりメモリカード５から読み出された画像データを一時的に格納するためのメモリである。画像処理回路２４は、画像メモリ２３に格納された画像データに対して、ＪＰＥＧ解凍や補間処理などの画像処理を施してモニタ４に再生表示するための表示用画像データを生成する。生成された表示用画像データは、ビデオ信号コンバータ２６へ出力される。
【００１２】
ビデオ信号コンバータ２６は、画像処理回路２４から入力した再生用画像データとグラフィックジェネレータ２２から入力した指標データとに基づいて、指標Ｚ（図３参照）が重畳された再生画像をモニタ４に表示する。ＩＲ信号受信機２８は、赤外線を利用してリモコン３から送信される各種の操作信号を受信するためのインタフェースである。受信した操作信号はマイクロプロセッサ２１へ出力される。なお、リモコン３からの操作信号はたとえば赤外線通信などの光を用いた通信に限定されない。
【００１３】
−リモコン３−
リモコン３は、モニタ４に表示される再生画像に対して各種の操作を行うための遠隔操作部材である。ユーザは、リモコン３をモニタ４に向けながら空中で上下、左右方向へ振って動かす（振り操作）ことにより、モニタ４に表示された指標Ｚの位置を移動させて、後述するようにサムネイル画像の中から全画像表示させる画像を選択したり、拡大画像の中心を指定したり、拡大された再生画像の表示中心を移動することができる。リモコン３は、マイクロプロセッサ３１、レーザポインタ３２、左右検知ジャイロ３３、上下検知ジャイロ３４、トグルスイッチ３５、ＩＲ信号送信機３６、バッテリ３７、および電源スイッチ３８を備える。
【００１４】
マイクロプロセッサ３１は、制御プログラムに基づいて所定の演算を行ない、リモコン３の各部に対して制御信号を送出する。マイクロプロセッサ３１は、所定時間ΔＴごとに左右検知ジャイロ３３および上下検知ジャイロ３４から出力される角速度信号を用いて、振り操作により変化したリモコン３の角度を算出する。そして、マイクロプロセッサ３１は、算出した角度をＩＲ信号送信機３６で送信可能な角度信号に変換した後、所定時間ごとにＩＲ信号送信機３６へ出力する。さらに、マイクロプロセッサ３１は、トグルスイッチ３５から出力される各種の操作信号をＩＲ信号送信機３６へ出力する。
【００１５】
レーザポインタ３２は、リモコン３が指し示す位置を表示するためにマイクロプロセッサ３１の指令に応じて点灯する。ただし、レーザポインタ３２は、後述する初期設定時以外には点灯しない。左右検知ジャイロ３３は、ユーザによる振り操作でリモコン３に発生する左右方向の角速度を検知し、左右角速度信号として所定時間Δｔごとにマイクロプロセッサ３１へ出力する。上下検知ジャイロ３４は、ユーザによる振り操作でリモコン３に発生する上下方向の角速度を検知し、上下角速度信号として所定時間Δｔごとにマイクロプロセッサ３１へ出力する。
【００１６】
トグルスイッチ３５は、上スイッチ３５Ｕ、下スイッチ３５Ｂ、右スイッチ３５Ｒ、左スイッチ３５Ｌおよび全押しスイッチ３５Ｍにより構成され、モニタ４に表示中の再生画像に対して拡大、縮小、コマ送りおよびコマ戻し等の操作を行うための操作部材である。ユーザがトグルスイッチ３５の上スイッチ３５Ｕを押下操作すると、再生画像を拡大することができる。このとき、上スイッチ３５Ｕから上押し信号がマイクロプロセッサ３１へ出力される。再生画像を縮小する場合に、ユーザがトグルスイッチ３５の下スイッチ３５Ｂを押下操作すると、下スイッチ３５Ｂから下押し信号がマイクロプロセッサ３１へ出力される。なお、拡大率が１倍の再生画像が表示されている場合に下スイッチ３５Ｂが押下操作されると、サムネイル画像が表示される。
【００１７】
再生画像をコマ送りする場合に、ユーザがトグルスイッチ３５の右スイッチ３５Ｒを押下操作すると、右スイッチ３５Ｒから右押し信号がマイクロプロセッサ３１へ出力される。再生画像をコマ戻しする場合に、ユーザがトグルスイッチ３５の左スイッチ３５Ｌを押下操作すると、左スイッチ３５Ｌから左押し信号がマイクロプロセッサ３１へ出力される。後述する初期設定をする場合に、ユーザが全押しスイッチ３５Ｍを押下操作すると、全押スイッチ３５Ｍから全押し操作信号がマイクロプロセッサ３１へ出力される。また、サムネイル画像が表示されているときに、リモコン３の振り操作で画像を選択してから全押しスイッチ３５Ｍが押下操作されると、選択した画像がモニタ４に全画面表示される。
【００１８】
ＩＲ信号送信機３６は、マイクロプロセッサ３１から受信した各信号に応じて赤外線を変調して得られる赤外線のＯＮ／ＯＦＦ信号として送信する。バッテリ３７は、電源スイッチ３８のオン操作に応じて、リモコン３内の各部に電力を供給するための電源である。
【００１９】
次に、第１の実施の形態における画像再生システム１の動作について、初期設定と画像の再生表示とに分けて説明する。
１．初期設定
画像再生システム１は、電源がオンされた使用開始時には、初期設定のための動作を行う。初期設定においては、メモリカード再生機２のマイクロプロセッサ２１は、リモコン３の振り操作と、画像表示時にモニタ４に表示される指標の移動量および移動方向とを対応付けする。このとき、ユーザはモニタ４に表示されたカーソルにリモコン３のレーザポインタ３２から射出されるレーザ光を重ね合わせて全押しスイッチ３５Ｍを押下操作すればよい。以下、図２を参照しながら、初期設定におけるメモリカード再生機２とリモコン３の動作に関して詳細に説明する。
【００２０】
１−１．メモリカード再生機２
初期設定の際には、メモリカード再生機２のマイクロプロセッサ２１は、グラフィックジェネレータ２２に対して、モニタ４の画面の中央にカーソルＣＲが表示されるようにカーソルデータの生成を指示する。生成されたカーソルデータは、ビデオ信号コンバータ２６へ出力され、図２（ａ）に示すように、モニタ４の画面中央には十字形のカーソルＣＲが表示される。なお、カーソルＣＲの位置は、図２（ａ）に示すように設定されたＸＹ座標系におけるモニタ４の中央座標（Ｘｃ、Ｙｃ）として定義されるものとし、マイクロプロセッサ２１は、カーソルデータの生成を指示する際に、中央座標（Ｘｃ、Ｙｃ）も出力する。
【００２１】
ユーザが、モニタ４に表示されたカーソルＣＲにリモコン３から射出されるレーザ光を重ね合わせて全押しスイッチ３５Ｍを押下操作すると、マイクロプロセッサ２１は、ＩＲ信号受信機２８を介してリモコン３から後述する角度信号を受信する。マイクロプロセッサ２１は、受信した角度信号を中央位置情報として、図示しない記録領域に記録する。
【００２２】
中央位置情報を記録すると、マイクロプロセッサ２１は、グラフィックジェネレータ２２に対して、モニタ４の画面の右上端にカーソルＣＲが表示されるようにカーソルデータの生成を指示し、モニタ４の右上座標（Ｘｒ、Ｙｒ）を出力する。生成されたカーソルデータは、ビデオ信号コンバータ２６へ出力され、図２（ｂ）に示すように、モニタ４の画面右上端にカーソルＣＲが表示される。
【００２３】
この場合も、ユーザがカーソルＣＲの位置とリモコン３からのレーザ光を重ね合わせて全押しスイッチ３５Ｍを押下操作すると、マイクロプロセッサ２１は、ＩＲ信号受信機２８を介してリモコン３から角度信号を受信する。マイクロプロセッサ２１は、受信した角度信号を右上端位置情報として、図示しない記録領域に記録する。
【００２４】
右上端位置情報を記録すると、マイクロプロセッサ２１は、グラフィックジェネレータ２２に対して、モニタ４の画面の左下端にカーソルＣＲが表示されるようにカーソルデータの生成を指示し、モニタ４の左下座標（Ｘｌ、Ｙｌ）を出力する。生成されたカーソルデータは、ビデオ信号コンバータ２６へ出力され、図２（ｃ）に示すように、モニタ４の画面左下端にカーソルＣＲが表示される。
【００２５】
この場合も同様にして、ユーザがカーソルＣＲの位置とリモコン３からのレーザ光を重ね合わせて全押しスイッチ３５Ｍを押下操作すると、マイクロプロセッサ２１は、ＩＲ信号受信機２８を介してリモコン３から角度信号を受信する。マイクロプロセッサ２１は、受信した角度信号を左下端位置情報として、図示しない記録領域に記録する。
【００２６】
マイクロプロセッサ２１は、記録した中央位置情報と右上端情報とに基づいて、レーザポインタ３２から射出されるレーザ光のスポットがモニタ４の画面中央から右上端へ移動するようにリモコン３を振り操作した時のリモコン３の角度変化を算出する。算出された角度変化の値は、右上座標（Ｘｒ、Ｙｒ）と対応付けされて、リモコン３の基準姿勢を示すポインタ情報として記録される。同様にして、中央位置情報と左下情報とに基づいて、マイクロプロセッサ２１は、レーザポインタ３２から射出されるレーザ光のスポットがモニタ４の画面中央から左下端へ移動するようにリモコン３を振り操作した時のリモコン３の角度変化を算出し、左下座標（Ｘｌ、Ｙｌ）と対応付けしてポインタ情報として記録する。
【００２７】
１−２．リモコン３
上述したようにモニタ４にカーソルＣＲが表示された際に、ユーザがトグルスイッチ３５を構成する全押しスイッチ３５Ｍを押下操作すると、全押し操作信号がマイクロプロセッサ３１へ出力される。全押し操作信号を入力すると、マイクロプロセッサ３１は、レーザポインタ３２に対して点灯を指示する点灯指示信号を出力する。点灯指示信号を入力したレーザポインタ３２は点灯し、レーザ光の照射を開始する。そして、マイクロプロセッサ３１は、レーザ光の照射を開始した後に初期設定時に全押し操作信号を入力した回数をカウントする。
【００２８】
レーザ光を照射した状態でユーザが振り操作を開始すると、マイクロプロセッサ３１は、左右検知ジャイロ３３から入力した左右角速度信号に所定時間Δｔを乗じて、リモコン３が所定時間Δｔごとに動いた左右方向の角度を算出する。そして、マイクロプロセッサ３１は、算出した所定時間Δｔごとの角度を順次加算することにより、振り操作開始後に左右方向へ変化したリモコン３の角度を算出する。同様に、マイクロプロセッサ３１は、上下検知ジャイロ３４から入力した上下角速度信号に所定時間Δｔを乗じて、リモコン３が所定時間Δｔごとに動いた上下方向の角度を算出し、それらを加算して振り操作開始後に上下方向へ変化したリモコン３の角度を算出する。そして、ユーザが、モニタ４に表示されたカーソルＣＲにレーザポインタ３２から射出されるレーザ光を重ね合わせ、全押しスイッチ３５Ｍを押下操作すると、全押し操作信号がマイクロプロセッサ３１へ出力される。マイクロプロセッサ３１は、全押し操作信号の入力回数をカウントアップする。全押し操作信号の入力回数が第１回目の場合、マイクロプロセッサ３１は、全押し操作信号を入力した時点で算出している角度を角度信号としてＩＲ信号送信機３６を介してメモリカード再生機２へ送信する。
【００２９】
モニタ４の右上端もしくは左下端にカーソルＣＲが表示されている場合、すなわち全押し操作信号の入力回数が第２回目もしくは第３回目の場合についても、マイクロプロセッサ３１は、同様にして全押し操作信号を入力した時点で算出している角度を角度信号としてＩＲ信号送信機３６を介してメモリカード再生機２へ送信する。そして、ユーザが全押しスイッチ３５Ｍを押下操作して、マイクロプロセッサ３１が全押し操作信号を入力すると、全押し操作信号の入力回数をカウントアップする。全押し操作信号の入力回数が第４回目の場合、マイクロプロセッサ３１は、レーザポインタ３２に対して消灯を指示する消灯指示信号を出力する。消灯指示信号を入力したレーザポインタ３２は消灯して、レーザ光の照射を停止する。
【００３０】
２．画像再生
メモリカード再生機２のマイクロプロセッサ２１は、リモコン３の振り操作に応じて、モニタ４に表示される指標Ｚの移動量と移動方向とを制御するとともに、トグルスイッチ３５の操作に応じて再生画像の拡大、縮小、コマ送りおよびコマ戻しを制御する。以下、図３および図４を用いて、画像再生時における画像再生システム１の動作に関して詳細に説明する。
【００３１】
−サムネイル表示−
マイクロプロセッサ２１は、メモリカードインタフェース２７を介してメモリカード５がメモリカード再生機２に装着されたことを検出すると、メモリカード５内に記録された画像データのサムネイル画像データを読み出す。読み出されたサムネイル画像データは、画像メモリ２３に一時的に格納される。そして、マイクロプロセッサ２１は、サムネイル画像データに対して、画像処理回路２４によりＪＰＥＧ解凍等の処理を施し、表示用画像データとしてビデオ信号コンバータ２６に出力する。ビデオ信号コンバータ２６は、表示用画像データをビデオ信号に変換して、モニタ４上に、たとえば１６０×１２０画素のサムネイル画像が複数枚表示される。
【００３２】
図３は、モニタ４に表示される複数枚のサムネイル画像の表示態様の一例を表している。図３（ａ）に示すように、モニタ４には、所定枚数のサムネイル画像で構成される行が、たとえば３行（行Ｌｎ〜Ｌｎ＋２）表示される。この場合、モニタ４の左上部には、表示される画像のうち撮影日時が最も古いサムネイル画像が表示され、モニタ４の右下部には、表示される画像のうち撮影日時が最新のサムネイル画像が表示される。すなわち、モニタ４に表示されるサムネイル画像の位置が上から下、左から右になるほど、撮影日時が新しくなる。
【００３３】
サムネイル画像が表示されている状態で、マイクロプロセッサ２１が、ユーザによるリモコン３の振り操作に応じた角度信号を受信すると、角度信号に基づいてポインタ情報を参照して、モニタ４上で指標Ｚを表示する位置を算出する。算出された指標Ｚの位置は、位置データとしてマイクロプロセッサ２１によりグラフィックジェネレータ２２に出力される。グラフィックジェネレータ２１は、入力した位置データに基づいて指標表示データを生成し、ビデオ信号コンバータ２６へ出力する。ビデオ信号コンバータ２６は、入力した指標表示データに基づいて、モニタ４に表示中のサムネイル画像とともに指標Ｚを表示する。モニタ４上に指標Ｚが表示されることにより、モニタ４に向かって行われたリモコン３の振り操作を可視化できる。
【００３４】
図３（ｂ）に、モニタ４に表示されたサムネイル画像と指標Ｚの一例を示す。図３（ｂ）は、ユーザにより、指標Ｚがモニタ４の画面左端部まで移動するようにリモコン３が振り操作された場合を示す。マイクロプロセッサ２１は、受信した角度信号に基づいて算出した指標Ｚの表示位置がモニタ４の左端部の場合には、表示中のサムネイル画像よりも撮影日時のさらに古い所定枚数（図３では３枚）のサムネイル画像データを画像メモリ２３から読み出す。そして、マイクロプロセッサ２１は、読み出したサムネイル画像データに対して、画像処理回路２４によりＪＰＥＧ解凍を施した後、新たに読み出したサムネイル画像データに基づいて行Ｌｎ−１のサムネイル画像を構成してモニタ４の最上段に表示する。さらに、マイクロプロセッサ２１は、それまで表示されていた行Ｌｎ＋２を構成する複数のサムネイル画像の表示を終了する。すなわち、モニタ４には、行Ｌｎ−１〜Ｌｎ＋１を構成するサムネイル画像データが表示される。
【００３５】
図３（ｃ）に、モニタ４に図３（ａ）のサムネイル画像が表示されているとき、ユーザにより、指標Ｚがモニタ４の画面右端部まで移動するようにリモコン３が振り操作された場合を示す。このとき、マイクロプロセッサ２１は、表示中のサムネイル画像よりも撮影日時のさらに新しい所定枚数（３枚）のサムネイル画像データを画像メモリ２３から読み出す。そして、マイクロプロセッサ２１は、読み出したサムネイル画像データに対して、画像処理回路２４によりＪＰＥＧ解凍を施した後、新たに読み出したサムネイル画像データに基づいて行Ｌｎ＋３のサムネイル画像を構成してモニタ４の最下段に表示する。さらに、マイクロプロセッサ２１は、それまで表示されていた行Ｌｎを構成する複数のサムネイル画像の表示を終了する。すなわち、モニタ４には、行Ｌｎ＋１〜Ｌｎ＋３を構成するサムネイル画像データが表示される。
【００３６】
−全画面表示−
図３（ａ）に示すように複数のサムネイル画像がモニタ４に表示されている状態で、全画面表示する画像を選択する場合について説明する。ユーザは、全画面表示を所望するサムネイル画像と指標Ｚとが重なるようにリモコン３を振り操作する。このとき、上述したようにマイクロプロセッサ２１は、モニタ４上に指標Ｚを表示する位置を算出する。そして、グラフィックジェネレータ２２により生成された指標表示データに基づいて、ビデオ信号コンバータ２６は、サムネイル画像上に指標Ｚを重畳表示する。
【００３７】
図４（ａ）に示すように、サムネイル画像と指標Ｚとが重畳表示された状態で、ユーザがリモコン３の全押しスイッチ３５Ｍを押下操作すると、マイクロプロセッサ２１は、ＩＲ信号受信機２８を介して全押し信号を受信する。全押し信号を受信したマイクロプロセッサ２１は、指標Ｚの位置と対応する位置に表示されているサムネイル画像を判別する。そして、マイクロプロセッサ２１は、判別されたサムネイル画像に対応する画像データをメモリカード５から読み出し、いったん画像メモリ２３に格納する。その後、マイクロプロセッサ２１は、その画像データに対して、画像処理回路２４によりＪＰＥＧ解凍等の処理を施し、表示用画像データとしてビデオ信号コンバータ２６へ出力する。これにより、入力した表示用画像データに対応する画像Ｐ１が、図４（ｂ）に示すようにモニタ４に表示される。なお、この場合は、拡大率が１倍の画像が表示される。
【００３８】
−拡大、縮小−
図４（ｂ）に示すように、拡大率が１倍の画像Ｐ１がモニタ４に全画面表示されている状態から、拡大率を変更する場合について説明する。ユーザがリモコン３を振り操作し、図４（ｂ）に示すように、拡大表示の中心とすべき位置に指標Ｚを重畳表示させ、その状態でユーザが全押しスイッチ３５Ｍを押下操作すると、マイクロプロセッサ２１は、ＩＲ信号受信機２８を介して全押し信号を受信する。全押し信号を受信したマイクロプロセッサ２１は、画像再生システム１の動作を拡大モードに設定する。
【００３９】
拡大モードにおいて、ユーザがリモコン３の上スイッチ３５Ｕを押下操作すると、マイクロプロセッサ２１は、上押し信号を受信して、画像処理回路２４に対して拡大指示信号を出力する。このとき、マイクロプロセッサ２１は、モニタ４上での指標Ｚの位置を表示中の画像Ｐ１に対応する画像データ上の座標値に変換し、画像処理回路２４およびグラフィックジェネレータ２２へ出力する。
【００４０】
拡大指示信号を入力すると、画像処理回路２４は、画像メモリ２３に格納された画像データを用いて、入力した座標値を中心として、補間処理などを施して、拡大表示用画像データを生成して、ビデオ信号コンバータ２６へ出力する。グラフィックジェネレータ２２は、入力した座標値に基づいて、拡大中心位置を示す拡大マーカＭＫを表示するためのマーカデータを生成してビデオ信号コンバータ２６へ出力する。ビデオ信号コンバータ２６は、入力した拡大表示用画像データにマーカデータを加算したビデオ信号を生成してモニタ４へ出力する。その結果、図４（ｃ）に示すように、拡大率が一段引上げられた拡大画像Ｐ２と拡大マーカＭＫとがモニタ４に表示される。
【００４１】
図４（ｃ）に示す拡大画像Ｐ２がモニタ４に表示されている場合に、ユーザがリモコン３を振り操作して、拡大表示の中心とすべき位置に指標Ｚを重畳表示させ、上スイッチ３５Ｕを押下操作すると、上述と同様にして、指標Ｚの位置を中心とした拡大画像が表示される。すなわち、図４（ｄ）に示すように、拡大率がさらに引上げられた拡大画像Ｐ３および拡大マーカＭＫが表示される。このように、上スイッチ３５Ｕが操作されるたびに、拡大率が一段ずつ引上げられた拡大画像がモニタ４に表示される。
【００４２】
図４（ｄ）に示す拡大画像Ｐ３がモニタ４に表示されている場合に、ユーザがリモコン３を振り操作して縮小表示の中心とすべき位置に指標Ｚを重畳表示させ、その状態で下スイッチ３５Ｂを押下操作すると、マイクロプロセッサ２１は、ＩＲ信号受信機２８を介して下押し信号を受信する。下押し信号を受信したマイクロプロセッサ２１は、画像処理回路２４に対して縮小指示信号を出力する。このとき、マイクロプロセッサ２１は、画像処理回路２４およびグラフィックジェネレータ２２へモニタ４上での指標Ｚの位置を、表示中の拡大画像Ｐ３に対応する画像データ上の座標値に変換して出力する。
【００４３】
縮小指示信号を入力すると、画像処理回路２４は、画像メモリ２３に格納された画像データを用いて、入力した座標値を中心として、拡大率を一段引き下げた拡大表示用画像データを生成して、ビデオ信号コンバータ２６へ出力する。グラフィックジェネレータ２２は、入力した座標値に基づいて、拡大中心位置を示す拡大マーカＭＫを表示するためのマーカデータを生成してビデオ信号コンバータ２６へ出力する。ビデオ信号コンバータ２６は、入力した拡大表示用画像データとマーカデータとを加算したビデオ信号を生成して表示モニタ４へ出力する。その結果、図４（ｅ）に示すように、拡大率が変更された拡大画像Ｐ４と拡大マーカＭＫとがモニタ４に表示される。このように、下スイッチ３５Ｂが押下操作されるたびに、拡大率が一段ずつ引き下げられた画像がモニタ４に表示される。なお、拡大率が１倍の画像Ｐ１が表示されている場合に、リモコン３の下スイッチ３５Ｂが操作されると、上述したサムネイル画像がモニタ４に表示される。また、図４（ｅ）に示す拡大画像Ｐ４と図４（ｃ）に示す拡大画像Ｐ２の拡大率は同一である。
【００４４】
図４（ｄ）に示す拡大画像Ｐ３がモニタ４に表示されている場合に、ユーザがリモコン３のトグルスイッチ３５を押し込みながら下方向へ倒すように操作すると、全押しスイッチ３５Ｍと下スイッチ３５Ｂが押下操作され、マイクロプロセッサ２１は、全押し信号と下押し信号とを受信する。下押し信号と全押し信号を受信したマイクロプロセッサ２１は、画像再生システム１に設定された拡大モードを解除する。すなわち、モニタ４には、拡大率が１倍の画像Ｐ１が表示される。
【００４５】
−拡大画像の表示中心変更−
拡大画像がモニタ４に表示されているときに、ユーザが全押しスイッチ３５Ｍを押下操作しながらリモコン３を振り操作すると、モニタ４に表示中の拡大画像の表示中心を振り操作を行った方向に同期して移動させることができる。すなわち表示中の拡大画像をリモコン3の振り操作の方向へ移動できる。以下、図4（ｅ）に示す拡大画像Ｐ４が表示されている場合を一例として用いて説明する。
【００４６】
マイクロプロセッサ２１は、ＩＲ信号受信機２８を介して全押しスイッチ３５Ｍから全押し信号を所定時間以上継続して受信している場合は、受信した角度信号に基づいて、モニタ４の中心に対してリモコン３が振り操作された方向を検出する。図４（ｅ）の拡大画像Ｐ４では、モニタ４の右方向へリモコン３が振り操作されているので、拡大画像Ｐ４の移動方向は右になる。拡大画像Ｐ４の移動方向を検出すると、マイクロプロセッサ２１は、受信した角度信号に基づいて、リモコン３の振り操作に伴って移動する拡大画像Ｐ４の表示中心が到達する座標値を算出する。そして、マイクロプロセッサ２１は、画像処理回路２４およびグラフィックジェネレータ２２に対して、表示中心の変更を指示する信号と、算出した座標値とを出力する。
【００４７】
画像処理回路２４は、表示中心の変更を指示する信号と座標値とを入力すると、画像メモリ２３に格納された画像データを用いて、入力した座標値を中心とした表示用画像データを生成して、ビデオ信号コンバータ２６へ出力する。グラフィックジェネレータ２２は、入力した表示中心の変更を指示する信号と座標値とに基づいて、拡大マーカＭＫが拡大画像Ｐ３の移動に伴って移動するようにマーカデータを生成し、ビデオ信号コンバータ２６へ出力する。
【００４８】
ビデオ信号コンバータ２６は、入力した拡大表示用画像データとマーカデータとを加算したビデオ信号をモニタ４へ出力する。その結果、図４（ｆ）に示すように、表示中心の位置が変更された、すなわち拡大画像Ｐ４がモニタ４の右方向へ移動した拡大画像Ｐ５と、拡大マーカＭＫとがモニタ４に表示される。ユーザが全押しスイッチ３５Ｍを押下操作している間は、上述したリモコン３の振り操作の方向への拡大画像の移動が継続される。
【００４９】
上述したように、拡大画像の移動操作が行われている間は、マイクロプロセッサ２１の指示に応じて、ビデオ信号コンバータ２６は、モニタ４にナビ画面６を表示する。図４（ｆ）に示すように、ナビ画面６は拡大画像Ｐ５の全体を表す小画面、すなわち画像Ｐ１に対応するサムネイル画像であり、モニタ４の所定の小範囲に、拡大画像Ｐ５に重畳して表示される。ナビ画面６内の枠６１は、拡大画像Ｐ５が、画像全体に対して占有する位置を示すものである。
【００５０】
−コマ送り、コマ戻し−
図４（ｂ）〜図４（ｆ）に示すように、モニタ４に画像が全画面表示されているときに、ユーザがリモコン３の右スイッチ３５Ｒを押下操作して右押し操作信号が出力されると、表示中の画像がコマ送りされる。すなわち、マイクロプロセッサ２１は、ＩＲ信号受信機２８から右押し信号を入力すると、モニタ４に表示中の画像の次画像に対応する画像データをメモリカード５から読み出して、画像メモリ２３に格納する。そして、マイクロプロセッサ２１は、次画像に対応する画像データに対して、画像処理回路２４によりＪＰＥＧ解凍等の処理を施し、表示用画像データとしてビデオ信号コンバータ２６へ出力する。ビデオ信号コンバータ２６は、表示用画像データをビデオ信号に変換してモニタ４へ出力する。これにより、次画像がモニタ４に表示される。なお、この場合は、拡大率が１倍の画像が表示される。
【００５１】
ユーザがリモコン３の左スイッチ３５Ｌを押下操作した場合は、表示中の画像がコマ戻しされる。すなわち、マイクロプロセッサ２１は、ＩＲ信号受信機２８から左押し信号を入力すると、モニタ４に表示中の画像の前画像に対応する画像データをメモリカード５から読み出して、画像メモリ２３に格納する。そして、次画像を表示する場合と同様にして、ビデオ信号コンバータ２６により、表示用画像データをビデオ信号に変換してモニタ４へ出力する。これにより、前画像がモニタ４に表示される。この場合も同様に、拡大率が１倍の画像が表示される。
【００５２】
図５〜図８のフローチャートを参照して、実施の形態による画像再生システム１の動作を説明する。図５〜図８のフローチャートに示す各処理は、メモリカード再生機２のマイクロプロセッサ２１によりプログラムを実行して行われる。このプログラムは図示しないメモリに格納されており、電源がオンされると起動される。また、フローチャートに示す処理の途中であっても、電源がオフされた場合には、マイクロプロセッサ２１は一連の処理を終了する。
【００５３】
図５のステップＳ１０１では、後述する初期設定を行ってステップＳ１０２へ進む。ステップＳ１０２においては、メモリカードインタフェース２７を介してメモリカード５が装着されたか否かを判定する。メモリカード５が装着されている場合は、ステップＳ１０２が肯定判定されてステップＳ１０３へ進む。メモリカード５が装着されていない場合は、ステップＳ１０２が否定判定されて、当該判定処理を繰り返す。
【００５４】
ステップＳ１０３では、メモリカード５に記録されているサムネイル画像データを読み出して、画像メモリ２３に格納してステップＳ１０４へ進む。ステップＳ１０４においては、画像処理回路２４により、画像メモリ２３に格納されたサムネイル画像データにＪＰＥＧ解凍等の画像処理を施してステップＳ１０５へ進む。
【００５５】
ステップＳ１０５においては、画像処理後のサムネイル画像データをビデオ信号コンバータ２６に送出して、モニタ４に画像を表示させてステップＳ１０６へ進む。ステップＳ１０６では、リモコン３が振り操作されたか否かを判定する。リモコン３が振り操作され、角度信号を受信した場合は、ステップＳ１０６が肯定判定されてステップＳ１０７へ進む。角度信号を受信しない場合は、ステップＳ１０６が否定判定されて当該判定処理を繰り返す。
【００５６】
ステップＳ１０７においては、受信した角度信号に基づいて、ポインタ情報を参照して指標Ｚを表示する位置を算出し、グラフィックジェネレータ２２に対して指標表示データの作成を指示する。指標表示データは、ビデオ信号コンバータ２６において画像データに加算される。その結果、モニタ４に指標Ｚが重畳表示される。ステップＳ１０８においては、全画面表示する画像が選択されたか否かを判定する。画像が選択された場合、すなわちサムネイル画像と指標Ｚとが重畳表示された状態で、リモコン３から全押し信号を受信した場合は、ステップＳ１０８が肯定判定されてステップＳ１０９へ進む。画像が選択されていない場合は、ステップＳ１０８が否定判定され、後述する図７のステップＳ１２７へ進む。
【００５７】
ステップＳ１０９においては、ステップＳ１０８で選択された画像に対応する画像データをメモリカード５から読み出して、画像メモリ２３に格納してステップＳ１１０へ進む。ステップＳ１１０においては、画像処理回路２４により、ステップＳ１０９で読み出した画像データにＪＰＥＧ解凍等の画像処理を施しステップＳ１１１へ進む。ステップＳ１１１においては、画像処理後の画像データをビデオ信号コンバータ２６に送出して、モニタ４に全画面表示を行ってステップＳ１１２へ進む。
【００５８】
ステップＳ１１２においては、全画面表示されている画像に対して、拡大操作が行われたか否かを判定する。拡大操作が行われた場合、すなわちリモコン３から上押し信号を受信した場合は、ステップＳ１１２が肯定判定されてステップＳ１１３へ進む。上押し信号を受信しない場合は、ステップＳ１１２が否定判定されて後述するステップＳ１１４へ進む。ステップＳ１１３においては、指標Ｚの位置に対応する座標値を算出し、画像処理回路２４により、算出した座標値を中心とし、拡大率を一段引上げた拡大表示用画像データを生成する。また、グラフィックジェネレータ２２によりマーカデータを生成してステップＳ１１１へ戻る。
【００５９】
拡大操作が行われていない場合は、ステップＳ１１２が否定判定されてステップＳ１１４へ進み、全画面表示されている画像に対して縮小操作が行われたか否かを判定する。縮小操作が行われた場合、すなわちリモコン３から下押し信号を受信した場合は、ステップＳ１１４が肯定判定されてステップＳ１１５へ進む。下押し信号を受信しない場合は、ステップＳ１１４が否定判定されて後述するステップＳ１１７へ進む。ステップＳ１１５においては、全画面表示されている画像の拡大率が１倍か否かを判定する。画像の拡大率が１倍の場合は、ステップＳ１１５が肯定判定されてステップＳ１０５へ戻る。画像の拡大率が１倍ではない場合は、ステップＳ１１５が否定判定されてステップＳ１１６へ進む。ステップＳ１１６においては、指標Ｚの位置に対応する座標値を算出し、画像処理回路２４により、算出した座標値を中心とし、拡大率を一段引下げた拡大表示用画像データを生成する。また、グラフィックジェネレータ２２によりマーカデータを生成してステップＳ１１１へ戻る。
【００６０】
縮小操作が行われていない場合は、ステップＳ１１４が否定判定されてステップＳ１１７へ進み、拡大画像の移動操作が行われたか否かを判定する。拡大画像が表示された状態で、所定時間以上全押し信号を受信している場合は、ステップＳ１１７が肯定判定されてステップＳ１１８へ進む。全押し信号を所定時間以上受信していない場合は、ステップＳ１１７が否定判定されて後述する図６のステップ１２０へ進む。
【００６１】
ステップ１１８においては、リモコン３から受信した角度信号に基づいて、モニタ４の中心に対してリモコン３が振り操作された方向、すなわち表示中の拡大画像の移動方向を検出してステップＳ１１９へ進む。ステップＳ１１９においては、リモコン３の振り操作に伴って移動する拡大画像の表示中心の座標値を算出し、画像処理回路２４により、算出した座標値を中心とした表示用画像データを生成する。また、グラフィックジェネレータ２２に対して、拡大マーカＭＫが拡大画像の移動に伴って移動するようにマーカデータを生成してステップＳ１１１へ戻る。
【００６２】
拡大画像の移動操作が行われていない場合は、ステップＳ１１７が否定判定されて図６のステップＳ１２０へ進み、コマ送り操作がされたか否かを判定する。コマ送り操作された場合、すなわち右押し信号を受信した場合は、ステップＳ１２０が肯定判定されてステップＳ１２１へ進む。右押し信号を受信していない場合は、ステップＳ１２０が否定判定されて後述するステップＳ１２３へ進む。
【００６３】
ステップＳ１２１においては、メモリカード５から次画像データを読み出して画像メモリ２３に格納してステップＳ１２２へ進む。ステップＳ１２２においては、画像処理回路２４により、ステップＳ１２１で読み出した次画像データにＪＰＥＧ解凍等の処理を施して図５のステップＳ１１１へ戻る。
【００６４】
コマ送り操作がされていない場合は、ステップＳ１２０が否定判定されてステップＳ１２３へ進み、コマ戻し操作がされたか否かを判定する。コマ戻し操作された場合、すなわち左押し信号を受信した場合は、ステップＳ１２３が肯定判定されてステップＳ１２４へ進む。左押し信号を受信しない場合は、ステップＳ１２３が否定判定されてステップＳ１２６へ進む。
【００６５】
ステップＳ１２４においては、メモリカード５から前画像データを読み出して画像メモリ２３に格納してステップＳ１２５へ進む。ステップＳ１２５においては、画像処理回路２４により、ステップＳ１２４で読み出した前画像データにＪＰＥＧ解凍等の処理を施して図５のステップＳ１１１へ戻る。
【００６６】
コマ戻し操作がされていない場合は、ステップＳ１２６へ進み、電源がオフされたか否かを判定する。電源スイッチ３８が操作され、電源オフ信号を受信した場合は、ステップＳ１２６が肯定判定されて、一連の動作を終了する。電源オフ信号を受信しない場合は、ステップＳ１２６が否定判定されて、図５のステップＳ１１１へ戻る。
【００６７】
全画面表示する画像が選択されていない場合は、ステップＳ１０８が否定判定されて図７のステップＳ１２７へ進み、リモコン３の振り操作がモニタ４の画面の左端部まで行われたか否かを判定する。受信した角度信号に基づいて算出した指標Ｚの表示位置がモニタ４の左端部の場合には、ステップＳ１２７が肯定判定されてステップＳ１２８へ進む。ステップＳ１２８においては、表示中のサムネイル画像よりも撮影日時のさらに古い所定枚数のサムネイル画像データを画像メモリ２３から読み出してステップＳ１２９へ進む。ステップＳ１２９においては、読み出したサムネイル画像データに対して、画像処理回路２４によりＪＰＥＧ解凍等の画像処理を施し、図５のステップＳ１０５へ戻る。
【００６８】
リモコン３の振り操作がモニタ４の画面の左端部まで行われていない場合は、ステップＳ１２７が否定判定されてステップＳ１３０へ進み、リモコン３の振り操作がモニタ４の画面の右端部まで行われたか否かを判定する。受信した角度信号に基づいて算出した指標Ｚの表示位置がモニタ４の右端部の場合には、ステップＳ１３０が肯定判定されてステップＳ１３１へ進む。リモコン３の振り操作がモニタ４の画面の右端部まで行われていない場合には、ステップＳ１３０が否定判定されて図５のステップＳ１０８へ戻る。
【００６９】
ステップＳ１３１においては、表示中のサムネイル画像よりも撮影日時のさらに古い所定枚数のサムネイル画像データを画像メモリ２３から読み出してステップＳ１３２へ進む。ステップＳ１３２においては、読み出したサムネイル画像データに対して、画像処理回路２４によりＪＰＥＧ解凍等の画像処理を施し、図５のステップＳ１０５へ戻る。
【００７０】
図８のフローチャートを参照して、図５のステップＳ１０１の初期設定における処理について説明する。
ステップＳ２０１においては、グラフィックジェネレータ２２によりカーソルデータを生成して、ビデオ信号コンバータ２６からのビデオ信号によりモニタ４の画面中央にカーソルＣＲを表示してステップＳ２０２へ進む。ステップＳ２０２においては、リモコン３から角度信号を受信したか否かを判定する。角度信号を受信した場合は、ステップＳ２０２が肯定判定されてステップＳ２０３へ進む。角度信号を受信しない場合は、ステップＳ２０２が否定判定されて、当該判定処理を繰り返す。
【００７１】
ステップＳ２０３においては、受信した角度信号を中央位置情報として記録してステップＳ２０４へ進む。ステップＳ２０４においては、グラフィックジェネレータ２２によりカーソルデータを生成して、ビデオ信号コンバータ２６からのビデオ信号によりモニタ４の画面右上端にカーソルＣＲを表示してステップＳ２０５へ進む。ステップＳ２０５においては、リモコン３から角度信号を受信したか否かを判定する。角度信号を受信した場合は、ステップＳ２０５が肯定判定されてステップＳ２０６へ進む。角度信号を受信しない場合は、ステップＳ２０５が否定判定されて、当該判定処理を繰り返す。
【００７２】
ステップＳ２０６においては、受信した角度信号を右上端位置情報として記録してステップＳ２０７へ進む。ステップＳ２０７においては、グラフィックジェネレータ２２によりカーソルデータを生成して、ビデオ信号コンバータ２６からのビデオ信号によりモニタ４の画面左下端にカーソルＣＲを表示してステップＳ２０８へ進む。ステップＳ２０８においては、リモコン３から角度信号を受信したか否かを判定する。角度信号を受信した場合は、ステップＳ２０８が肯定判定されてステップＳ２０９へ進む。角度信号を受信しない場合は、ステップＳ２０８が否定判定されて、当該判定処理を繰り返す。
【００７３】
ステップＳ２０９においては、受信した角度信号を左下端位置情報として記録してステップＳ２１０へ進む。ステップＳ２１０においては、記録した中央位置情報、右上端位置情報、左下端位置情報を用いてリモコン３の振り操作による角度変化を算出して、ポインタ情報として記録して初期設定における各処理を終了する。
【００７４】
以上で説明した第１の実施の形態の画像再生システムによれば、以下の作用効果が得られる。
（１）リモコン３の振り操作とトグルスイッチ３５の各種操作に応じてモニタ４に表示された画像の表示形態が変更するように、マイクロプロセッサ２１は、画像処理回路２４に対して表示用画像データを生成させるようにした。すなわち、モニタ４に画像の表示形態を変更するためのコマンドを表示する必要がなくなる。その結果、ユーザは、画像の表示形態を変更するために、モニタ４に表示されたコマンドに指標Ｚを重ねてから各種の操作スイッチを操作する手間を省くことができ、ユーザによるリモコン３の操作が画像の表示形態の変更に直接反映されるので、利便性および操作性が向上する。
【００７５】
（２）マイクロプロセッサ２１は、初期設定により記憶したポインタ情報を参照して、リモコン３の振り操作による基準姿勢からの姿勢変化を算出して、姿勢変化に応じて画像の表示形態が変更するように、画像処理回路２４に表示用画像データを生成させるようにした。したがって、モニタ４に画像の表示形態を変更するためのコマンドを表示する必要がなくなり、ユーザによるリモコン３の操作が画像の表示形態の変更に直接反映されるので、利便性および操作性が向上する。
【００７６】
（２）モニタ４には、ビデオ信号コンバータ２６により画像とリモコン３が指し示す位置を表す指標Ｚとが重畳して表示されるようにした。したがって、指標Ｚによりリモコン３の振り操作が可視化されているので、ユーザは、リモコン３の振り操作の状況を把握しやすくなる。
【００７７】
（３）指標Ｚが表示された位置を中心としてモニタ４に表示された画像が拡大もしくは縮小するように、マイクロプロセッサ２１は、画像処理回路２４に対して表示用画像データを生成させるようにした。たとえば、図９に示す従来の技術のように、モニタ上に拡大、縮小、移動方向（十字方向の矢印）のコマンドＣｏがそれぞれ表示される場合、各コマンドをリモコンで指し示してから各種の操作スイッチを操作して、表示されている拡大画像の中心位置を決定する必要がある。すなわち、リモコンの操作の結果に応じて表示された拡大画像を確認してから、ユーザは所望の位置を中心とした拡大画像が表示されているか否かを判断し、所望の拡大画像が表示されていない場合は、再度リモコンの操作を行う必要がある。これに対して、ユーザはリモコン３の振り操作により、所望する拡大画像の中心位置を指定できるので、拡大画像の中心位置を決定するために所定の操作スイッチを複数回押下するという煩雑な操作が必要なくなり、操作性が向上する。
【００７８】
（４）リモコン３の振り操作の方向と同期してモニタ４に表示中の拡大画像が移動するように、マイクロプロセッサ２１は、画像処理回路２４に対して表示用画像データを生成させるようにした。たとえば、図９に示す従来の技術の場合では、指標を移動方向のコマンドＣｏに重ねた状態で所定の操作スイッチを操作すると、移動方向のコマンドの矢印が示す方向に所定の移動量だけ画像が移動するので、所望の移動量を得るためには、操作スイッチを複数回操作する必要があった。これに対して、リモコン３の振り操作に同期して拡大画像が移動するので、ユーザは拡大画像を所望の位置に移動させるために所定の操作スイッチを複数回押下するという煩雑な操作が必要なくなり、操作性が向上する。
【００７９】
（５）メモリカード再生機２の使用開始時には、マイクロプロセッサ２１はメモリカード再生機２の初期設定のための動作を行い、リモコン３の振り操作と、画像表示時にモニタ４に表示される指標Ｚの移動量および移動方向とを対応付けするようにした。したがって、ユーザごとにリモコン３の振り操作が異なっても、画像の表示形態を確実に変更することができる。
【００８０】
（６）マイクロプロセッサ２１は、リモコン３がモニタ４の左端まで振り操作された場合は、撮影日時の古いサムネイル画像を表示させ、リモコン３がモニタ４の右端まで振り操作された場合は、撮影日時の新しいサムネイル画像を表示させるようにした。したがって、ユーザはリモコン３の振り操作を行うだけでサムネイル画像の表示を変更することができるので、煩雑なボタン操作等をする必要が無くなり利便性が向上する。
【００８１】
（第２の実施の形態）
図１０を参照して、本発明による画像再生システムの第２の実施の形態を説明する。以下の説明では、第１の実施の形態と同じ構成要素には同じ符号を付して相違点を主に説明する。特に説明しない点については、第１の実施の形態と同じである。本実施の形態では、遠隔操作部材として、コンピュータ等で用いられているマウス型リモコン７を使用する点で、第１の実施の形態と異なる。ユーザは、マウス型リモコン７を机上等で移動操作することにより、モニタ４に表示された指標Ｚの位置を移動させて、サムネイル画像の中から全画像表示させる画像を選択したり、拡大された再生画像の表示中心を移動することができる。すなわち、ユーザによるマウス型リモコン７の机上等での操作が、第１の実施の形態のリモコン３における振り操作に相当する。
【００８２】
図１０のブロック図に示すように、マウス型リモコン７は、マイクロプロセッサ７１、ｘｙ移動検出部７２、左スイッチ７３、右スイッチ７４、ホイールスイッチ７５、および無線送信機７６を備える。ｘｙ移動検出部７２は、ユーザがマウス型リモコン７を机上等で操作した時の移動量を検出して、移動量を示す情報をマイクロプロセッサ７１へ出力する。
【００８３】
左スイッチ７３は、再生画像をコマ戻しする場合にユーザにより押下操作される。右スイッチ７４は、再生画像をコマ送りする場合にユーザにより押下操作される。ホイールスイッチ７５は、再生画像を拡大、縮小、拡大画像の表示中心を移動する場合にユーザにより操作される。再生画像を拡大する場合には、ユーザはホイールスイッチ７５を押下操作してから前方（図９の＋ｙ方向）へ回転操作する。この時、ホイールスイッチ７５は前方向操作信号がマイクロプロセッサ７１へ出力する。
【００８４】
再生画像を縮小する場合には、ユーザはホイールスイッチ７５が押下操作してから、後方（図１０の−ｙ方向）へ回転操作する。この時、ホイールスイッチ７５は、後方向操作信号をマイクロプロセッサ７１へ出力する。なお、拡大率が１倍の画像が表示されているときに本操作が行われた場合は、サムネイル画像が表示される点は第１の実施の形態と同様である。拡大画像の表示中心を移動する場合には、ユーザは、ホイールスイッチ７５を長押し操作しながら、拡大画像を移動させたい方向へマウス型リモコン７を移動させる。この時、ホイールスイッチ７５は、長押し操作信号をマイクロプロセッサ７１へ出力する。また、初期設定時には、ホイールスイッチ７５の押下操作が、第１の実施の形態において初期設定時に全押しスイッチ３５Ｍの押下操作に相当する。
【００８５】
マイクロプロセッサ７１は、制御プログラムに基づいて所定の演算を行ない、マウス型リモコン７の各部に対して制御信号を送出する。マイクロプロセッサ７１は、ｘｙ移動検出部７２から出力されるｘｙ方向の移動量、左スイッチ７３、右スイッチ７４、およびホイールスイッチ７５から出力される各種の操作信号を無線送信機７６へ出力する。
【００８６】
無線送信機７６は、マイクロプロセッサ７１から入力した各信号を、たとえばBluetoothなどの無線通信によって、メモリカード再生機２へ送信する。
【００８７】
以上で説明した第２の実施の形態の画像再生システムによれば、第１の実施の形態のリモコン３に代えてマウス型リモコン７を机上等で移動操作する場合でも、第１の実施の形態による画像システムで得られる作用効果と同様の作用効果が得られる。
【００８８】
（第３の実施の形態）
図１１を参照して、本発明による画像再生システムの第３の実施の形態を説明する。以下の説明では、第１の実施の形態と同じ構成要素には同じ符号を付して相違点を主に説明する。特に説明しない点については、第１の実施の形態と同じである。本実施の形態では、メモリカード再生機２に代えてデジタルカメラ８を用いる点で、第１の実施の形態と異なる。この場合、デジタルカメラ８はケーブル等により直接モニタ４と接続されていても、モニタ４に接続されたクレードル等を介して接続されていてもよい。
【００８９】
図１１のブロック図に示すように、デジタルカメラ８は、撮影レンズ８１、撮像素子８２、ＡＤ変換器８３、マイクロプロセッサ８４、画像メモリ８５、画像処理部８６、ビデオ信号コンバータ８７、グラフィックジェネレータ８８、ＩＲ信号受信機８９、メモリカードインタフェース９０、および外部インタフェース９１を備える。
【００９０】
図示しない電源スイッチがオン操作されると撮影モードとなり、撮影レンズ８１を通過して入射した被写体光が撮像素子８２へ導かれ、その撮像面上に被写体像が結像する。撮像素子８２は、複数の光電変換素子を備えたＣＣＤやＣＭＯＳイメージセンサによって構成される。撮像素子８２は、撮像面上に結像されている被写体像を撮像し、被写体像の明るさに応じたカラー光電変換信号を出力する。ＡＤ変換回路８３は、不図示のＡＦＥ回路などで行なったアナログ処理後の撮像信号をデジタル信号に変換する。
【００９１】
画像処理部８６は、たとえばＡＳＩＣとして構成され、撮像素子８２からの画像信号に対してホワイトバランス調整、彩度補正、階調補正、補間処理などの画像処理を施して画像データを生成する。さらに、画像処理部８６は、画像データに対してＪＰＥＧ圧縮もしくはＪＰＥＧ解凍を施す。マイクロプロセッサ８４は、各ブロックから出力される信号を入力して所定の演算を行い、演算結果に基づく制御信号を各ブロックへ出力する。画像メモリ８５はマイクロプロセッサ８４のワーキングメモリである。外部インタフェース９１は、所定のケーブルや無線伝送路を介してモニタ４や図示しないクレードル等の外部装置とデータ通信を行うためのインタフェースである。
【００９２】
図示しない操作部材により再生モードが選択され、外部インタフェース９１を介してモニタ４と接続されると、マイクロプロセッサ８４は、第１の実施の形態におけるメモリカード再生機２と同様に、初期設定を行う。そして、メモリカード５に記録された画像データのサムネイル画像データを読み出して、画像メモリ８５に格納する。そして、サムネイル画像データは、画像処理部８６によりＪＰＥＧ解凍等の処理が施され、表示用画像データとしてビデオ信号コンバータ８７に出力される。ビデオ信号コンバータ８７は、表示用画像データを用いて、モニタ４上に、たとえば１６０×１２０画素のサムネイル画像を複数枚表示する。以後、マイクロプロセッサ８４は、第１の実施の形態におけるメモリカード再生機２と同様に、ＩＲ信号受信機８９を介して受信したリモコン３から送信される各種操作信号に基づいて、各種の画像表示（拡大、縮小、移動、コマ送り、コマ戻し）を制御する。
【００９３】
以上で説明した第３の実施の形態の画像再生システムによれば、第１の実施の形態による画像システムで得られる作用効果に加えて、次の作用効果が得られる。
デジタルカメラ８にビデオ信号コンバータ８７、グラフィックジェネレータ８８、ＩＲ信号受信機８９を設けた。その結果、デジタルカメラ８で撮影した画像を接続したモニタ４に表示させて、リモコン３の操作で表示形態を変更できるので、メモリカード５の着脱操作を省いて撮影した画像を閲覧でき、利便性が増す。
【００９４】
以上で説明した第１〜第３の実施の形態の画像再生システムを以下のように変形できる。
（１）遠隔操作をする部材として、３次元加速度センサで振り操作の動きを検出する、たとえばＴＶゲーム機のリモコン等を用いてもよい。この場合、リモコンの振り操作による動きを受信するためのＩＲＬＥＤをメモリカード再生機２もしくはデジタルカメラ８に設け、各種操作信号の送受信は、たとえばBluetoothなどの無線通信により行われるようにする。また、トグルスイッチ３５の操作をＴＶゲーム機のリモコンの十字キーの操作で行うようにすればよい。
【００９５】
（２）モニタ４に表示される画像は、メモリカード５に記録されたものに代えて、無線通信やＬＡＮ、インターネットなどから取得した画像データに基づくものであってもよい。
【００９６】
（３）画像をモニタ４に表示するものに代えて、メモリカード再生機２もしくはデジタルカメラ８にプロジェクタ装置を搭載し、ビデオ信号コンバータで生成した画像をスクリーン等に投影するようにしてもよい。
【００９７】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００９８】
【図１】本発明の第１の実施の形態による画像再生システムのブロック図
【図２】初期設定時におけるモニタの表示形態の一例を説明する図
【図３】サムネイル画像の表示形態の一例を説明する図
【図４】再生画像の表示形態の一例を説明する図
【図５】画像再生システムの動作を説明するフローチャート
【図６】画像再生システムの動作を説明するフローチャート
【図７】画像再生システムの動作を説明するフローチャート
【図８】画像再生システムの初期設定時における動作を説明するフローチャート
【図９】従来の技術による表示形態の一例を示す図
【図１０】第２の実施の形態による画像再生システムのブロック図
【図１１】第３の実施の形態による画像再生システムのブロック図
【符号の説明】
【００９９】
２・・・メモリカード再生機  ３・・・リモコン  ２１・・・マイクロプロセッサ
２６・・・グラフィックジェネレータ  ３３・・・左右検知ジャイロ
３４・・・上下検知ジャイロ  ３５・・・トグルスイッチ
【図１】
0005119972.tif 000002
【図２】
0005119972.tif 000003
【図３】
0005119972.tif 000004
【図４】
0005119972.tif 000005
【図５】
0005119972.tif 000006
【図６】
0005119972.tif 000007
【図７】
0005119972.tif 000008
【図８】
0005119972.tif 000009
【図９】
0005119972.tif 000010
【図１０】
0005119972.tif 000011
【図１１】
0005119972.tif 000012